(57)【要約】      （修正有）【課題】効果的に対象物の汚れを除去できる清掃具を提供する。【解決手段】電動式回転はブラシの清掃部に樹脂製の清掃部を取り付けることで，きわめて効果的に歯の汚れを除去できる。この清掃具１１は，基体１と，清掃部３と，清掃部３を前記基体１に回転可能に取り付ける支持部５と，支持部５を回転駆動するための駆動部７と，を有する。そして，清掃部３は，樹脂発泡体で形成されている。清掃具１１の例は，歯の清掃具（歯ブラシ）である。樹脂発泡体の例は，メラミン樹脂の発泡体である。【選択図】図１
2014121368.tif 000002
【特許請求の範囲】
【請求項１】
基体（１）と，
清掃部（３）と，
前記清掃部（３）を前記基体（１）に回転可能に取り付ける支持部（５）と，
前記支持部（５）を回転駆動するための駆動部（７）と，
を有する清掃具（１１）であって，
前記清掃部（３）は，
樹脂発泡体で形成されている，
清掃具（１１）。
【請求項２】
請求項１に記載の清掃具（１１）であって，
前記樹脂発泡体は，メラミン樹脂発泡体である，
清掃具（１１）。
【請求項３】
請求項１に記載の清掃具（１１）であって，
前記清掃部（３）は，円柱状部分（４）を有し，
前記支持部（５）は，前記円柱状部分（４）の径より小さな径を有する，清掃部収容部（６）を有し，
前記清掃部（３）は，前記清掃部収容部（６）に圧縮された状態で収容される，
清掃具（１１）。
【請求項４】
請求項３に記載の清掃具（１１）であって，
前記清掃部（３）は，交換可能である，
清掃具（１１）
【請求項５】
請求項３又請求項４に記載の清掃具（１１）であって，
歯の清掃具である，清掃具（１１）。
【発明の詳細な説明】
【技術分野】
【０００１】
本発明は，発泡体が電動により回転する清掃具に関する。
【背景技術】
【０００２】
特開２００７−８２７７７号公報（特許文献１）には，樹脂製発泡材を用いた歯磨き具が開示されている。
【０００３】
特開２００７−９７７１４号公報（特許文献２）には，連続気孔を有するメラミン樹脂発泡体からなる擦掃部材を有する歯磨き具が開示されている。
【０００４】
このように，例えばメラミン樹脂の発泡体を清掃部分とした歯ブラシは，既に知られている。
【０００５】
意匠登録第１４４１０２１号公報には，樹脂剤を有する電動式紙面清掃器が開示されている。
【０００６】
特開２０１１−２４４８４２号公報には，電動モータでゴムカップである清掃体を回転させる歯面清掃器が開示されている。
【先行技術文献】
【特許文献】
【０００７】
【特許文献１】特開２００７−８２７７７号公報
【特許文献２】特開２００７−９７７１４号公報
【特許文献３】意匠登録第１４４１０２１号公報
【特許文献４】特開２０１１−２４４８４２号公報
【発明の概要】
【発明が解決しようとする課題】
【０００８】
特許文献１及び２の歯ブラシは，発泡体を有している。このため通常の歯ブラシでは除去できない汚れをも効果的に除去することができる。しかしながら，これらの歯ブラシはあくまで手動で歯磨きを行うものであるため，扱いが容易ではない。
【０００９】
特許文献３の歯ブラシは，清掃部に存在する樹脂材が電動により振動等するため比較的容易に扱うことができる。特許文献４の歯ブラシは，ゴムカップを回転させるものであるため葉の汚れを効果的に除去できない。
【課題を解決するための手段】
【００１０】
本発明は基本的には，電動式回転はブラシの清掃部に樹脂製の清掃部を取り付けることで，きわめて効果的に歯の汚れを除去できるという知見に基づく。
【００１１】
本発明は，清掃具１１に関する。この清掃具１１は，基体１と，清掃部３と，清掃部３を前記基体１に回転可能に取り付ける支持部５と，支持部５を回転駆動するための駆動部７と，を有する。そして，清掃部３は，樹脂発泡体で形成されている。清掃具１１の例は，歯の清掃具（歯ブラシ）である。樹脂発泡体の例は，メラミン樹脂の発泡体である。
【００１２】
本発明の清掃具１１の好ましい例は，清掃部３が，円柱状部分４を有するものである。そして，支持部５は，清掃部収容部６を有する。清掃部収容部６は，円柱状部分４の径より小さな径を有する。これにより，清掃部３は，清掃部収容部６に圧縮された状態で収容される。この態様の清掃具１１は，清掃部３を比較的容易に交換することができる。
【発明の効果】
【００１３】
電動式回転はブラシの清掃部に樹脂製の清掃部を取り付けることで，きわめて効果的に歯の汚れを除去できる。
【図面の簡単な説明】
【００１４】
【図１】図１は，本発明の清掃具の例を示す概念図である。
【図２】図２は，清掃部及び支持部の例を説明するための図である。
【発明を実施するための形態】
【００１５】
本発明は，清掃具１１に関する。図１は，本発明の清掃具の例を示す概念図である。図１に示されるように，この清掃具１１は，基体１と，清掃部３と，清掃部３を基体１に回転可能に取り付ける支持部５と，支持部５を回転駆動するための駆動部７と，を有する。そして，清掃部３は，樹脂発泡体で形成されている。清掃具１１の例は，歯の清掃具（歯ブラシ）である。樹脂発泡体の例は，メラミン樹脂の発泡体である。
【００１６】
基体１の例は，歯ブラシの本体部である。歯ブラシの本体部は使用者が手で把持する部位である。
【００１７】
清掃部３は，清掃する対象と接触し，対象物から汚れを除去するための部位である。市販されている歯ブラシにおいては，ブラシ部分が清掃部３に相当する。清掃部３は，樹脂発泡体で形成されている。樹脂発泡体の例は，特許文献１又は２に開示されたものである。もっとも，樹脂発泡体の好ましい例は，メラミン樹脂の発泡体である。清掃部３の例は円柱状の樹脂発泡体である。清掃部３の大きさは用途に応じて適宜調整すればよい。清掃具１１が歯ブラシ（歯の清掃具）の場合，清掃部３の最大直径の例は，５ｍｍ以上１５ｍｍ以下である。清掃部５は，例えば径の大きな円柱部４と，その下部に存在し円柱部４と同心であって円柱部４よりも直径の小さな円柱形状を有する接続部を有するものであっても良い。
【００１８】
支持部５は，清掃部３を基体１に回転可能に取り付ける部位である。支持部５の全部又は少なくとも清掃部３と接続されている部分は，駆動部７からの回転駆動を受けて回転し，これにより清掃部３が回転する。支持部５の例は，基体１に固定される支持部本体と，駆動部７からの回転駆動を伝え，清掃部３を収容するための清掃部収容部６とを有するものがあげられる。清掃部収容部６が回転することで，清掃部３も回転する。
【００１９】
駆動部７は，例えばモータと電源とを有し，電源からの電力によりモータの軸が回転し，この回転運動を支持部５を介して清掃部３へと伝える。なお，基体１と，清掃部３と，清掃部３を基体１に回転可能に取り付ける支持部５と，支持部５を回転駆動するための駆動部７と，を有する電動歯ブラシは，例えば特許文献４に開示されたとおり公知である。したがって，本発明においても公知の要素を適宜採用できる。
【００２０】
本発明の清掃具１１の好ましい例は，清掃部３が，円柱状部分４を有するものである。図２は，清掃部及び支持部の例を説明するための図である。図２に示される例では，清掃部は，円柱状部分４と支持体の清掃部収容部６に収容される被収容部分とを有する。そして，支持部５は，清掃部収容部６を有する。被収容部分は，例えば圧縮された状態で清掃部収容部６に収容される。清掃部収容部６は，円柱状部分４の径より小さな径（内系）を有する。これにより，清掃部３は，清掃部収容部６に圧縮された状態で収容される。この態様の清掃具１１は，清掃部３を比較的容易に交換することができる。
【産業上の利用可能性】
【００２１】
本発明は，例えば歯ブラシに関するため，衛生具製造業において好ましく利用されうる。
【符号の説明】
【００２２】
１  基体
３  清掃部
４  円柱状部
５  支持部
６  清掃部収容部
７  駆動部
１１  清掃具
【図１】
2014121368.tif 000003
【図２】
2014121368.tif 000004